(57)【特許請求の範囲】
【請求項１】
少なくとも一列配置の３電子ビームが各別に通過する３個の電子ビーム通過孔が形成された長円形状のカップ状電極素子または３電子ビーム共通の１個の電子ビーム通過孔が形成された長円形状のカップ状電極素子と上記３個または１個の電子ビーム通過孔が形成された長円形状の板状電極素子とを突合わせ上記電子ビーム通過孔を基準にして他の電極とともに組立治具に組込み、上記各電極素子を一体に溶接したのち、上記カップ状電極素子の長側部に設けられた植設部を加熱軟化した絶縁支持体に圧入して固定するカラーブラウン管用電子銃の組立方法において、
上記各電極素子の溶接を上記絶縁支持体の圧入方向と直交する長径方向側部でおこなうことを特徴とするカラーブラウン管用電子銃の組立方法。
【請求項２】
一列配置の３電子ビームが各別に通過する３個の電子ビーム通過孔が形成された長円形状のカップ状電極素子と３電子ビーム共通の１個の電子ビーム通過孔が形成された長円形状のカップ状電極素子とを上記３個または１個の電子ビーム通過孔が形成された長円形状の板状電極素子を介して突合わせ上記電子ビーム通過孔を基準にして他の電極とともに組立治具に組込み、上記各電極素子を一体に溶接したのち、上記板状電極素子以外の電極素子の長側部に設けられた植設部を加熱軟化した絶縁支持体に圧入して固定するカラーブラウン管用電子銃の組立方法において、
上記各電極素子の溶接を上記絶縁支持体の圧入方向と直交する長径方向側部でおこなうことを特徴とするカラーブラウン管用電子銃の組立方法。
【発明の詳細な説明】
【０００１】
【発明の属する技術分野】
この発明は、カラーブラウン管用電子銃の組立方法に係り、特に少なくとも長円形状のカップ状電極素子と長円形状の板状電極素子とからなる長円形状の電極を有するカラーブラウン管用電子銃の組立方法に関する。
【０００２】
【従来の技術】
一般にカラーブラウン管用電子銃の組立は、３個の電子ビーム通過孔が形成された板状電極、カップ状電極、筒状電極、およびこれら板状、カップ状などの電極素子を適宜組合わせた電極など、複数個の電極と、カソードを支持するカソード・ホルダーとをスペーサを介して組立治具に組込み、上記電極およびカソード・ホルダーに設けられた植設部を加熱軟化した絶縁支持体に圧入して一体に固定することにより組立てられる。
【０００３】
その組立治具は、複数個の電極の位置を規制する棒状の電極位置規制子が設けられた下基準台、カソード・ホルダーを支持するカソード・ホルダー位置規制子が設けられた上基準台、電極および電極とカソード・ホルダーとの間隔を規制する複数個のスペーサ、および下基準台に位置決め支持された電極および上基準台に支持されたカソード・ホルダーを加圧する加圧機構から構成されている。
【０００４】
このような組立治具を用いておこなわれる電子銃組立方法の一例として、図６に同一平面上を通る一列配置の３電子ビームを放出する第１乃至第６グリッドＧ１  〜Ｇ６  からなる６個の電極を有する電子銃の組立てを示す。
【０００５】
この電子銃の組立ては、下基準台１に一列配置に設けられた３個の電極位置規制子２ａ  〜２ｃ  に第１乃至第６グリッドＧ１  〜Ｇ６  をＧ６  →Ｇ１  の順に、かつこれら電極Ｇ１  〜Ｇ６  と交互にスペーサ３ａ  〜３ｆ  を組込むとともに、上基準台５に一列配置に設けられた３個のカソード・ホルダー規制子６ａ  〜６ｃ  にそれぞれ３個のカソード・ホルダーＫＨａ〜ＫＨｃを組込む。そしてこれら上下基準台１，５を組合わせたのち、これら上下基準台１，５に組込まれた第１乃至第６グリッドＧ１  〜Ｇ６  およびカソード・ホルダー規制子６ａ  〜６ｃ  を加圧機構（図示せず）により加圧する。このとき、各３個の電極位置規制子２ａ  〜２ｃ  とカソード・ホルダー規制子６ａ  〜６ｃ  とは、それぞれ同軸に組合わされる。その後、第１乃至第６グリッドＧ１  〜Ｇ６  およびカソード・ホルダーＫａ  〜Ｋｃ  に設けられた植設部を、ガスバーナーにより１３００〜１４００℃に加熱されて軟化した一対の絶縁支持体８に圧入して、上記第１乃至第６グリッドＧ１  〜Ｇ６  およびカソード・ホルダーＫａ  〜Ｋｃ  を一体に固定することにより組立てられる。
【０００６】
ところで、カラーブラウン管については、フォーカス特性を向上させるため、電極間に形成される電界レンズ、特に電子ビームを最終的に蛍光体スクリーン上に集束する主レンズを大口径化して、球面収差を低減した電子銃が広く実用化されている。
【０００７】
このような大口径レンズを構成する電極として、図７に示すように、一列配置の３電子ビームが各別に通過する３個の電子ビーム通過孔１０ａ  〜１０ｃ  （１０ｂ  ，１０ｃ  のみ図示）が形成された長円形状のカップ状電極素子１１と３電子ビーム共通の１個の電子ビーム通過孔１２が形成された長円形状の筒状電極素子１３とを３電子ビームが各別に通過する３個の電子ビーム通過孔１４ａ  〜１４ｃ  が形成された長円形状の板状電極素子１５（補正電極）を介して突合わせ、筒状に形成された電極がある。
【０００８】
従来、このような電極を有する電子銃の組立方法として、各電極素子１１，１３，１５の植設部近傍で各電極素子を溶接して、カップ状電極素子１１の長側部に設けられた植設部１６を絶縁支持体に圧入することにより、圧入時の電極の弾性変形を防止する方法が、特開平５−２０８４８号公報に示されている。
【０００９】
しかしこのような方法は、図８に示すように、絶縁支持体への圧入時に、カップ状電極素子１１に植設部１６をカップ状電極素子１１の内側に押込む矢印１７方向の力が加わり、カップ状電極素子１１の植設部１６と長側部とのなす角度θを小さくする変形が生ずる。そしてこの変形と同時に板状電極素子１５は、カップ状電極素子１１との溶接点１８を作用点とし、カップ状電極素子１１の解放端面側の折曲部１９を支点として、中央部が筒状電極素子１３側に突出する矢印２０方向の変形をおこす。
【００１０】
このように大口径レンズを構成する電極が変形すると、特にその板状電極素子１５の変形により、大口径レンズの電界が乱れ、所望の集束が得られず、センタービームと一対のサイドビームとの集束および水平、垂直方向の集束の不均衡が生じ、大口径主レンズのフォーカス性能を大幅に劣化させる。
【００１１】
【発明が解決しようとする課題】
上記のように、従来、大口径レンズを構成する電極として、一列配置の３電子ビームが各別に通過する３個の電子ビーム通過孔が形成された長円形状のカップ状電極素子と３電子ビーム共通の１個の電子ビーム通過孔が形成された長円形状のカップ状電極素子とを３電子ビームが各別に通過する３個の電子ビーム通過孔が形成された長円形状の板状電極素子を介して突合わせ、筒状に形成された電極がある。
【００１２】
このような電極を有する電子銃の組立方法として、上記各電極素子を植設部近傍で溶接して、カップ状電極素子の長側部に設けられた植設部を絶縁支持体に圧入することにより、圧入時の電極の弾性変形を防止する方法が提案されているが、このような方法で電子銃を組立てると、絶縁支持体への圧入時に、植設部をカップ状電極素子の内側に押込む方向の力が加わり、カップ状電極素子に植設部と長側部とのなす角度を小さくする変形が生ずると同時に、板状電極素子の中央部をもう１つのカップ状電極素子側に突出させる変形をおこす。その結果、大口径レンズの電界が乱れ、所望の集束が得られず、センタービームと一対のサイドビームとの集束および水平、垂直方向の集束の不均衡が生じ、大口径レンズのフォーカス性能を大幅に劣化させるという問題がある。
【００１３】
この発明は、上記問題点を解決するためになされたものであり、大口径レンズを構成する電極の構造を大幅に変更することなく、板状電極素子の変形を抑えて、大口径レンズの特性を損なわない電子銃の組立方法を得ることを目的とする。
【００１４】
【課題を解決するための手段】
少なくとも一列配置の３電子ビームが各別に通過する３個の電子ビーム通過孔が形成された長円形状のカップ状電極素子または３電子ビーム共通の１個の電子ビーム通過孔が形成された長円形状のカップ状電極素子と上記３個または１個の電子ビーム通過孔が形成された長円形状の板状電極素子とを突合わせ上記電子ビーム通過孔を基準にして他の電極とともに組立治具に組込み、その各電極素子を一体に溶接したのち、カップ状電極素子の長側部に設けられた植設部を加熱軟化した絶縁支持体に圧入して固定するカラーブラウン管用電子銃の組立方法において、各電極素子の溶接を絶縁支持体の圧入方向と直交する長径方向側部でおこなうようにした。
【００１５】
また、一列配置の３電子ビームが各別に通過する３個の電子ビーム通過孔が形成された長円形状のカップ状電極素子と３電子ビーム共通の１個の電子ビーム通過孔が形成された長円形状のカップ状電極素子とを上記３個または１個の電子ビーム通過孔が形成された長円形状の板状電極素子を介して突合わせ上記電子ビーム通過孔を基準にして他の電極とともに組立治具に組込み、その各電極素子を一体に溶接したのち、板状電極素子以外の電極素子の長側部に設けられた植設部を加熱軟化した絶縁支持体に圧入して固定するカラーブラウン管用電子銃の組立方法において、各電極素子の溶接を絶縁支持体の圧入方向と直交する長径方向側部でおこなうようにした。
【００１６】
【発明の実施の形態】
以下、図面を参照してこの発明の実施の形態について説明する。
【００１７】
図１にその一形態に係る一列配置の３電子ビームを放出するインライン型電子銃を示す。この電子銃は、一列配置の３個のカソードＫａ  〜Ｋｃ  （Ｋａ  のみ図示）、これらカソードＫａ  〜Ｋｃ  を各別に保持する３個のカソード・ホルダーＫＨａ，〜ＫＨｃ（ＫＨａのみ図示）および上記カソードＫａ  〜Ｋｃ  に順次隣接して配置された第１乃至第４グリッドＧ１  〜Ｇ４  からなる４個の電極を有し、そのカソード・ホルダーＫＨａ〜ＫＨｃおよび第１乃至第４グリッドＧ１  〜Ｇ４  がそのそれぞれに設けられた植設部１５を介して一対の絶縁支持体８により一体に固定されている。
【００１８】
その第１乃至第４グリッドＧ１  〜Ｇ４  のうち、第１、第２グリッドＧ１  ，Ｇ２  は、長円形状の板状電極からなり、これら第１、第２グリッドＧ１  ，Ｇ２  は、３個のカソードＫａ  〜Ｋｃ  に対応して、一列配置の３電子ビームが各別に通過する３個の電子ビーム通過孔が一列配置に形成されている。
【００１９】
第３およぴ第４グリッドＧ３  ，Ｇ４は、各２個の長円形状のカップ状電極素子が突合わされた一対の筒状電極Ｇ３１，Ｇ３２およびＧ４１，Ｇ４２間に長円形状の板状電極素子Ｇ３ＰおよびＧ４Ｐが配置された長円形状の筒状に形成されている。その各カップ状電極素子の端面および板状電極素子Ｇ３ＰおよびＧ４Ｐには、３個のカソードＫａ  〜Ｋｃ  に対応して、一列配置の３電子ビームが各別に通過する３個の電子ビーム通過孔が一列配置に形成されている。そしてこれら第３およぴ第４グリッドＧ３  ，Ｇ４のカップ状電極素子および板状電極素子Ｇ３ＰおよびＧ４Ｐは、それぞれ隣接電極素子と溶接されている。
【００２０】
なお、Ｈは上記カソードＫａ  ，Ｋｂ  ，Ｋｃ  を各別に加熱するヒーター（図示せず）の支持部である。
【００２１】
図２に上記電子銃の組立てに用いられる組立治具を示す。この組立治具は、下基準台３０、上基準台３１、加圧機構３２および電極間隔を規制する複数個の板状スペーサ（図示せず）からなる。
【００２２】
その下基準台３０には、基台３４の中央部上に、電極位置を規制する３個の段付き柱状の電極位置規制子３５ａ  〜３５ｃ  が一列配置に設けられ、この電極位置規制子３５ａ  〜３５ｃ  の配列方向の両側に、一対の柱状外側規制子３６ａ  ，３６ｂ  が設けられている。
【００２３】
これに対して、上基準台３１は、上記下基準台３０の一対の外側規制子３６ａ  ，３６ｂ  の先端に係合する基台３７の中央部を摺動自在に貫通し、上基準台３１を下基準台３０に係合したとき、上記下基準台３０の各電極位置規制子３５ａ  〜３５ｃ  の先端部に同軸に係合する３個の柱状カソード・ホルダー規制子３８ａ  〜３８ｃ  が設けられている。
【００２４】
加圧機構３２は、上記上基準台３１の各カソード・ホルダー規制子３８ａ  〜３８ｃ  のまわりに各別に装着された３個のコイルスプリング４０と、これらコイルスプリング４０を介して各カソード・ホルダー規制子３８ａ  〜３８ｃ  を押圧するスライダー４１と、上基準台３１の基台３７に固定され、上記スライダー４１の押圧を案内する一対のガイド柱４２と、上記スライダー４１に取付けられた重錘４３とからなる。
【００２５】
上記電子銃の組立ては、図３に示すように、まず下基準台３０の３個の電極位置規制子３５ａ  〜３５ｃ  に第１乃至第４グリッドＧ１  〜Ｇ４  をＧ４  →Ｇ１  の順に、かつこれら各グリッドＧ１  〜Ｇ４  と交互にスペーサ４５ａ  〜４５ｄ  を組込む。この場合、複数個の電極素子からなる第３、第４グリッドＧ３  ，Ｇ４  については、各電極素子を溶接して一体化することなく電極素子単体のまま組込む。一方、上基準台３１の３個のカソード・ホルダー規制子３８ａ  〜３８ｃ  にそれぞれカソード・ホルダーＫＨａ〜ＫＨｃを組込む。
【００２６】
そして、その下基準台３０の一対の外側規制子に上基準台３１の基台を係合して、これら上下基準台３０，３１を組合わせ、加圧機構３２により、上記上下基準台３０，３１に組込まれた第１乃至第４グリッドＧ１  〜Ｇ４  およびカソード・ホルダーＫＨａ〜ＫＨｃを電極位置規制子３５ａ  〜３５ｃ  および同軸に係合するカソード・ホルダー規制子３８ａ  〜３８ｃ  の軸方向に加圧する。その後、上記単体のまま組込まれた第３、第４グリッドＧ３  ，Ｇ４  の各電極素子を溶接して一体化する。この場合、特に第４グリッドＧ４  の第３グリッドＧ３  側に位置する板状電極素子Ｇ４Ｐとこの板状電極素子Ｇ４Ｐを介して突合わされた２個のカップ状電極素子については、植設部の設けられている長側部を溶接することなく各電極素子の長径方向側部で溶接して一体化する。
【００２７】
つぎに、各グリッドＧ１  〜Ｇ４  およびカソード・ホルダーＫＨａ〜ＫＨｃに設けられている植設部を、ガスバーナーにより１３００〜１４００℃に加熱されて軟化した一対のガラスからなる絶縁支持体８に圧入して、各グリッドＧ１  〜Ｇ４  およびカソード・ホルダーＫＨａ〜ＫＨｃを一体に固定する。そして絶縁支持体８が冷却固化したのち、上記上下基準台３０，３１を分離して、絶縁支持体８により一体に固定されたグリッドＧ１  〜Ｇ４  およびカソード・ホルダーＫＨａ〜ＫＨｃをスペーサ４５ａ  〜４５ｄ  とともに取出す。その後、この絶縁支持体８により一体に固定されたグリッドＧ１  〜Ｇ４  およびカソード・ホルダーＫＨａ〜ＫＨｃからスペーサ４５ａ  〜４５ｄ  を抜取る。
【００２８】
上記のように電子銃を組立てると、従来、２個のカップ状電極素子が板状電極を介して突合わされた筒状の電極を用いて大口径レンズを形成する電子銃を組立てる場合に生じた板状電極素子の変形を防止して、大口径レンズを形成する電子銃のフォーカス特性の劣化を防止することができる。
【００２９】
すなわち、上記大口径レンズを形成する第４グリッドＧ４  の筒状電極Ｇ４１は、図４に示すように、３電子ビーム共通の１個の電子ビーム通過孔が形成されたカップ状電極素子４８と板状電極素子Ｇ４Ｐを介して対向する３電子ビームが各別に通過する３個の電子ビーム通過孔が形成されたカップ状電極４９の長側部に植設部１６が設けられている。このような電極素子を用いて電子銃を組立てる場合、その植設部１６の加熱軟化された絶縁支持体に対する圧入方向と直交する長径方向側部で溶接点５１で示すように溶接すると、図５に示すように、絶縁支持体への圧入時に、カップ状電極素子４９に植設部１６をカップ状電極素子４９の内側に押込む矢印５２方向の力が加わり、カップ状電極素子４９の植設部１６と長側部とのなす角度θを小さくする変形が生じても、カップ状電極素子４９と板状電極素子Ｇ４Ｐとは長径方向側部で溶接されているため、板状電極素子Ｇ４Ｐを変形させることはない。したがって上記のように電子銃を組立てることにより、大口径レンズを形成する電子銃のフォーカス特性の劣化を防止することができる。
【００３０】
なお、上記実施の形態では、２個のカップ状電極素子を板状電極素子を介して突合わされた筒状の電極を用いて大口径レンズを形成する電子銃の組立てについて説明したが、この発明は、少なくとも一列配置の３電子ビームが各別に通過する３個の電子ビーム通過孔が形成された長円形状のカップ状電極素子または３電子ビーム共通の１個の電子ビーム通過孔が形成された長円形状のカップ状電極素子と３個または１個の電子ビーム通過孔が形成された長円形状の板状電極素子とが突合わされた筒状の電極を有する電子銃の組立てに適用して、同様の効果が得られる。
【００３１】
【発明の効果】
少なくとも一列配置の３電子ビームが各別に通過する３個の電子ビーム通過孔が形成された長円形状のカップ状電極素子または３電子ビーム共通の１個の電子ビーム通過孔が形成された長円形状のカップ状電極素子と上記３個または１個の電子ビーム通過孔が形成された長円形状の板状電極素子とを突合わせ上記電子ビーム通過孔を基準にして他の電極とともに組立治具に組込み、その各電極素子を一体に溶接したのち、カップ状電極素子の長側部に設けられた植設部を加熱軟化した絶縁支持体に圧入して固定するカラーブラウン管用電子銃の組立方法、または、一列配置の３電子ビームが各別に通過する３個の電子ビーム通過孔が形成された長円形状のカップ状電極素子と３電子ビーム共通の１個の電子ビーム通過孔が形成された長円形状のカップ状電極素子とを上記３個または１個の電子ビーム通過孔が形成された長円形状の板状電極素子を介して突合わせ上記電子ビーム通過孔を基準にして他の電極とともに組立治具に組込み、その各電極素子を一体に溶接したのち、板状電極素子以外の電極素子の長側部に設けられた植設部を加熱軟化した絶縁支持体に圧入して固定するカラーブラウン管用電子銃の組立方法において、電極素子の溶接を絶縁支持体の圧入方向と直交する電極素子の長径方向側部でおこなうと、板状電極素子に植設部の絶縁支持体への圧入方向の力を与えることなく電子銃の組立てることができ、所定の特性を備える電子銃を組立てることができる。
【図面の簡単な説明】
【図１】この発明の実施の一形態に係る電子銃の構成を示す図である。
【図２】上記電子銃の組立てに用いられる組立治具の構成を示す図である。
【図３】図３（ａ）および（ｂ）はそれぞれこの発明の実施の一形態である上記電子銃の組立方法を説明するための図である。
【図４】図４（ａ）は上記電子銃の第４グリッドを構成する電極の構成を示す平面図、図４（ｂ）は一部を切り欠いて示す正面図、図４（ｃ）は側面図である。
【図５】図５（ａ）および（ｂ）はそれぞれ上記電子銃の組立時に生ずる上記第４グリッドを構成する電極の変形を説明するための図である。
【図６】図６（ａ）および（ｂ）はそれぞれ従来の電子銃の組立方法を説明するための図である。
【図７】図７（ａ）は従来の大口径レンズを形成する電極の構成を示す平面図、図７（ｂ）は一部を切り欠いて示す正面図、図７（ｃ）は側面図である。
【図８】図８（ａ）および（ｂ）はそれぞれ上記従来の電子銃の組立時に生ずる上記大口径レンズを形成する電極の変形を説明するための図である。
【符号の説明】
８…絶縁支持体
１６…植設部
４８…カップ状電極素子
４９…カップ状電極素子
Ｇ１  …第１グリッド
Ｇ２  …第２グリッド
Ｇ３  …第３グリッド
Ｇ４  …第４グリッド
Ｇ４Ｐ…板状電極素子
【図１】
0003586340.tif 000002
【図２】
0003586340.tif 000003
【図３】
0003586340.tif 000004
【図４】
0003586340.tif 000005
【図５】
0003586340.tif 000006
【図６】
0003586340.tif 000007
【図７】
0003586340.tif 000008
【図８】
0003586340.tif 000009